【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
屋外において、両端部が閉塞された筒状体（１）を横設し、同筒状体（１）の上面に苗の植え穴（２）を等間隔に設け、また同筒状体（１）の中に水路パイプ（４）を延設し、さらに同植え穴（２）を挟むように一定間隔を開けてサイフォン排水装置（５）を設置してなることを特徴とする横置き型水耕栽培装置。
【請求項２】
水路パイプ（４）に、給排水用の穴（１１）を全面に設けてなることを特徴とする請求項１記載の横置き型水耕栽培装置。
【請求項３】
植え穴（２）に、ベルマウス縁（３）を設けなることを特徴とする請求項１記載の横置き型水耕栽培装置。
【請求項４】
横設された筒状体（１）の下方に、培養液貯槽（７）を配設してなることを特徴とする請求項１記載の横置き型水耕栽培装置。
【手続補正２】
【補正対象書類名】明細書
【補正対象項目名】全文
【補正方法】変更
【補正の内容】
【発明の詳細な説明】
【発明の名称】横置き型水耕栽培装置
【技術分野】
【０００１】
本発明は、屋外にて太陽光を利用した横置き型水耕栽培装置に関するものである。    
【背景技術】
【０００２】
従来、水耕栽培装置は、室内で人工の光を利用して栽培することから十分な屋内スペースが必要であり、家庭菜園としては困難であり、また小型の水耕栽培装置等もあるが沢山の収穫を望むことが出来なかった。
なお、水、土壌の使用を最小限にとどめ太陽熱、風波等の自然エネルギーを多面的に利用した多様性、多機能生に富んだ植物栽培装置が知られている（特許文献１参照）。
【先行技術文献】
【特許文献】
【０００３】
【特許文献１】特開２００２−２２３６４８号公報（特許出願２００１−６２６４４）
【発明の概要】
【発明が解決しようとする課題】
【０００４】
水耕栽培装置は屋内にて人工光を利用し栽培することが一般であり、一般家庭においてはその様な場所を確保することはできずコストも割高となった。
また小型の水耕栽培装置では収穫が限られてしまうし、プランター栽培では土を利用することから屋上やベランダなどでは土管理が困難である為、家庭菜園を楽しむことが出来なかった。
本発明は、以上の問題点を解決するためになされたものである。
【課題を解決するための手段】
【０００５】
すなわち本願発明は下記構成の横置き型水耕栽培装置である。
[１] 屋外において、両端部が閉塞された筒状体（１）を横設し、同筒状体（１）の上面に苗の植え穴（２）を等間隔に設け、また同筒状体（１）の中に水路パイプ（４）を延設し、さらに同植え穴（２）を挟むように一定間隔を開けてサイフォン排水装置（５）を設置してなることを特徴とする横置き型水耕栽培装置。
[２] 水路パイプ（４）に、給排水用の穴（給排水口）（１１）を全面に設けてなることを特徴とする前記[１] 記載の横置き型水耕栽培装置。
[３]  植え穴（２）に、ベルマウス縁（３）を設けなることを特徴とする前記[１] 記載の横置き型水耕栽培装置。
[４]  横設された筒状体（１）の下方に、培養液貯槽（７）を配設してなることを特徴とする前記[１] 記載の横置き型水耕栽培装置。
すなわち、本願発明の横置き型水耕栽培装置以下のようにして製作される。
まず、屋外において、筒状胴体（１）部（筒状体）を横にして設け、上面に苗の植え穴（２）を等間隔に設け、更にそれを挟むように一定間隔を開けて間欠式サイフォン排水装置（５）を設置し、そして筒状胴体（１）部の中に水路パイプ（４）を設ける。
間欠式サイフォン排水装置（５）は、筒状胴体（１）部が一定の水位になった場合自動排水をし、完全に排水が終わったら次の一定の水位になるまで排水を行わない。
筒状胴体（１）部の中に設けられた水路パイプ（４）には、給排水用の穴（１１）を全面に設けてあり、水の流れを良くする。
筒状胴体（１）部（筒状体）は、直線やループ状などに繋ぎ合せたり、段々に重ねることも出来る。
培養液貯槽（７）は間欠式サイフォン排水装置（５）が作動できる場所に設置する。
【発明の効果】
【０００６】
本願発明によれば、筒状胴体（１）の中には水路パイプ（４）が設けられてあり、それには給排水用の穴（１１）を全面に設けてあるため、筒状胴体（１）部中の水の流れを良くすることができる。
また、植物の根っ子が成長し、筒状胴体部（１）内の培養液の流れが悪くなった際に、水路パイプ（４）に設けた給排水口（１１）から培養液が流れ筒状胴体部内（１）内の全体に培養液を満たすことができる。
さらに、本願発明によれば、プランター代わりとして、屋外にて横長の水耕栽培装置を設置することができる。
そして、植物を太陽光で育てるため電気代の節約ができ、培養液の管理だけなので、連作障害や土の管理等が必要なく、手軽に屋上やベランダなどでも家庭菜園を楽しむことが出来る。
【図面の簡単な説明】
【０００７】
【図１】本発明実施例の水耕栽培装置の上面図
【図２】本発明実施例装置の正面図
【図３】本発明実施例装置の筒状胴体部断面図
【図４】本発明実施例装置の間欠式サイフォン排水装置の断面図
【発明を実施するための形態】
【０００８】
以下、本発明の実施の形態を図１〜図４を参照して説明する。
筒状胴体部（１）は図３に示す通り断面形状は円筒形が好ましいが方形状でも、同等の効果がみられ、使用には横置きにし、上面に植物を植えるための植え穴（２）を植物の成長に害しない間隔にて設ける。
また、植え穴（２）の径に関しても、植物が成長した茎などの太さに影響のない口径とする。
植え穴（２）には、ベルマウス縁（３）を設け、ベルマウス状にすることで、植え穴（２）の縁が高くなり、口縁部分を広げることから培養液をこぼれ難くすると共に植物の茎や葉などがベルマウス縁（３）に擦れた場合に起きる損傷を防止する。
【０００９】
筒状胴体部（１）の両端には、間欠式サイフォン排水装置（５）を設ける。  ただし、筒状胴体部（１）を繋ぎ合せて長くする場合は、適度な間隔にて間欠式サイフォン排水装置（５）を設け、短くする場合には一つだけ設置する。  間欠式サイフォン排水装置（５）の排水吸込み口（１０）は、図４に示す様に筒状胴体部（１）より低い位置に設け、排水する培養液を筒状胴体部（１）の水底から排出することを目的とする。
なお、吸気排水位調整管（８）は、筒状胴体部（１）の排水が終わると空気を吸引して、間欠式サイフォン排水装置（５）内に空気が入り完全に排水が停止する。この吸気排水位調整管（８）の高さを調整すると空気の入る液上面の水位が変わることから筒状胴体部（１）の培養液の排水量の水位を調整することが出来る。
【００１０】
水路パイプ（４）は、筒状胴体部（１）の底部に取り外しのできる状態とし、破損等で取り換えが必要となった場合には交換出来る様に設置する。
水路パイプ（４）の太さは、筒状胴体部（１）の断面面積に対し１０〜２０％程度し、長さは間欠式サイフォン装置（５）の間隔もしくは、筒状胴体部（１）に見合う長さとし培養液が流れる様にホース状とする。
図３に示す様に全面には出来るだけ多くの給排水口（１１）を設ける。水路パイプ（４）の主な目的としては植物の根っ子が成長し、筒状胴体部（１）内の培養液の流れが悪くなった際に、水路パイプ（４）に設けた給排水口（１１）から培養液が流れ筒状胴体部内（１）内の全体に培養液を満たす。
【００１１】
筒状胴体部（１）より低い位置に培養液水槽（７）を設け、循環用ポンプ（６）を利用し、筒状胴体部（１）に培養液を送り込む。
培養液水槽（７）は定まった形状はないが雨水が入らない様にし、設置場所は間欠式サイフォン排水装置（５）が作動できる場所に設置する。
循環ポンプ（６）に関しては、培養液水槽（７）内の培養液を筒状胴体部（１）に給水出来るものとするが間欠式サイフォン排水装置（５）の排水量を超えない程度で、ゆっくりと給水できる循環ポンプ（６）を使用する。
【００１２】
筒状胴体部（１）や培養液水槽（２）等が、気温や直射日光を受けることで培養液の温度変化が植物にとって、悪影響となる場合には各部を保温材などで保護する。また、植え穴（２）以外の箇所は蓋やコーキング等をし、雨水等が入らない様にする。
筒状胴体部（１）内にメンテナンス等の必要が発生した場合には、間欠式サイフォン排水装置（５）を取り外して行う為、間欠式サイフォン排水装置（５）は筒状胴体部（１）から取り外しのできる構造とする。
【００１３】
本発明は、以上のような構造である。
本発明を使用するときは、培養液を培養液水槽（７）に十分溜めておき、循環用ポンプ（６）にて筒状胴体部（１）に培養液を送り込みゆっくりと培養液を溜める。筒状胴体部（１）内の培養液は、流れの勢いで培養液を満たすのではなく、ゆっくりと培養液を給水し筒状胴体部（１）内の水位を全体に出来るだけ平均的に排水量まで満たす。
筒状胴体部（１）内の水位が排水面に達すると間欠式サイフォン排水装置（５）が自動的に作動し、水底から培養液を吸い込んで培養液水槽（７）に自動排水する。筒状胴体部（１）の排水が終わると吸気排水位調整管（８）から空気を吸い込み間欠式サイフォン排水装置（５）内へ空気が送られて、自動的に排水が止る。
この排水中に根っ子が空気と触れる。排水が止ると、筒状胴体部（１）に培養液が溜まり排水量に達すると再度間欠式サイフォン排水装置（５）が自動排水をする。この工程を繰返すことで根っ子に対し、培養液と空気の供給を繰返し行い植物を成長させ病気等は予防する。
水路パイプ（４）は、根っ子が成長することで筒状胴体部（１）内が詰まり始め最終的には完全に詰まる可能性もあるので、培養液の流れが悪くなった場合でも、水路パイプ（４）にて全体的に培養液を流し、給排水口（１１）を通し培養液を詰まった場所でも浸透させる。
【符号の説明】
【００１４】
１  筒状胴体部（筒状体）
２  植え穴
３  ベルマウス縁
４  水路パイプ
５  間欠式サイフォン排水装置
６  循環用ポンプ
７  培養液水槽
８  吸気排水位調整管
９  排水管、
１０  排水吸い込み口
１１  給排水口
【手続補正３】
【補正対象書類名】図面
【補正対象項目名】全図
【補正方法】変更
【補正の内容】
【図１】
2016077163.tif 000001
【図２】
2016077163.tif 000002
【図３】
2016077163.tif 000003
【図４】
2016077163.tif 000004